(57)【要約】【課題】本発明は多機能パソコンチェアを開示した。【解決手段】本発明は多機能パソコンチェアを公示し、支柱と前記支柱の上側に位置する座布団とを含み、前記座布団の前後両端には手すりが設置され、前記座布団の右端には背もたれが設置され、前記支柱の中には上方に開口した伸縮溝が設置され、前記伸縮溝の下端壁には伸縮ばねが設置され、本発明はシンプルな構成と簡単な操作方法を有し、利用者にマッサージを行う時に、パソコン利用者の圧力を緩和すると同時に、飲み物などがテーブルの空間をとりすぎるという問題を解決し、より有効的に空間を利用でき、また、機械伝動により効率も上げ、さらなる快適さを利用者に与える。【選択図】図１
2020182771.tif 000002
【特許請求の範囲】
【請求項１】
正面視で、支柱と前記支柱の上側に位置する座布団とを含み、前記座布団の前後両端には手すりが設置され、前記座布団の右端には背もたれが設置され、前記支柱の中には上方に開口した伸縮溝が設置され、前記伸縮溝の下端壁には伸縮ばねが設置され、前記伸縮溝の中にはばね板が設置され、前記伸縮溝の右端壁には磁石組が設置され、前記磁石組と前記ばね板とは互いに近距離で吸引し合うことができ、前記座布団の中には昇降チャンバが設置され、前記昇降チャンバの中には昇降板が設置され、前記昇降板の下端面には昇降棒が二本設置され、二本の前記昇降棒の下端は前記ばね板と連結されており、前記座布団の下端面には連結柱が設置され、前記連結柱の下端は前記ばね板を貫通しており、且つ前記ばね板と摩擦できるように連結され、前記連結柱と前記伸縮ばねとは連結されており、前記手すりの中には昇降機構が設置され、前記昇降機構は収納溝とコップを支える支持板とを含み、前記支持板の下端には収納ばねが設置され、前記収納ばねの下端は前記収納溝の下端壁と連結されており、前記昇降板の上端面には押出棒が設置され、前記押出棒の上端は前記収納溝の中に位置しており、前記押出棒は前記支持板の降下を制限でき、前記手すりの上端面には装置の移動を制御する制御器が設置され、前記収納溝の右端壁には昇降溝が設置され、前記昇降溝の上端壁の中にはスライドチャンバが設置され、前記スライドチャンバの上端壁の中にはばねチャンバとばね溝が設置され、前記ばねチャンバと前記ばね溝とは前記スライドチャンバを連通しており、前記ばねチャンバの右端壁には圧縮ばねが設置され、前記圧縮ばねの左端には圧縮板が設置され、前記圧縮板の下端は前記スライドチャンバの中に位置しており、前記圧縮板の上端には防塵できる隔て板が設置され、前記ばね溝の左端壁には引張ばねが設置され、前記引張ばねの右端には引張板が設置され、前記引張板の下端は前記スライドチャンバの中に位置しており、前記スライドチャンバの中には磁石棒が設置され、前記スライドチャンバの右端壁には磁石ブロックが設置され、前記磁石ブロックと前記磁石棒とは吸引し合い、前記ばねチャンバの上端壁には連結ばねが設置され、前記連結ばねの下端には妨害磁石が設置され、前記妨害磁石は前記磁石棒と前記磁石ブロックと退け合い、前記妨害磁石の下端には妨害板が設置され、前記妨害板の下端は前記スライドチャンバの中に位置しており、前記妨害板は前記磁石棒と前記磁石ブロックとの吸引に影響しないであり、前記妨害板の下端には弾性紐が設置され、前記弾性紐の下端は前記昇降溝の中に位置しており、前記弾性紐は前記妨害板を引き動かすことができ、前記背もたれの中にはマッサージ機構が設置され、前記マッサージ機構は回転チャンバとスライド溝とを含み、前記回転チャンバと前記スライド溝とはいずれも前方に開口しており、前記スライド溝の中にはスライド板が設置され、前記スライド溝の前端壁にはスライドばねが連結され、前記スライドばねは前記スライド板の復位を連動させることができ、前記スライド溝の後端壁には電磁石が設置され、前記電磁石と前記スライド板とは互いに吸引し合うことができ、前記スライド板の下端面にはモータが設置され、前記回転チャンバの中には回転軸が二本設置され、一本の前記回転軸は前記モータと伝動可能に連結され、もう一本の前記回転軸の上端は前記スライド板と回転可能に連結され、
本装置は利用者へのマッサージを行われ、また、コップなどを置くこともできることを特徴とする多機能パソコンチェア。
【請求項２】
前記昇降機構は上げ板を含み、前記上げ板の一端は磁力を帯びており、前記上げ板の左端は前記収納溝の中に位置しており、前記弾性紐の下端は前記上げ板と連結されており、前記昇降溝の下端壁の中には上方に開口した上げ溝が二つ設置され、前記上げ溝の下端壁には上げばねが設置され、前記上げばねの上端には上げ棒が設置され、前記上げ棒は前記上げ板と連結されており、前記昇降溝の中には移動棒が設置され、前記移動棒の右端は前記回転チャンバの中に位置しており、前記上げ板の下端にはロープが設置され、前記ロープの下端は前記上げ溝を貫通しており、前記ロープは前記移動棒の左端と連結されており、
前記昇降機構は支持板の昇降を制御できることを特徴とする請求項１に記載の多機能パソコンチェア。
【請求項３】
前記マッサージ機構は前記回転軸に固定させた四つのカムを含み、前記回転チャンバの上下端壁の間にはクッションが設置され、二本の前記回転軸の下端にはいずれもプーリが設置され、前記プーリは互いにベルトによって連結され、後側の前記回転軸の下端には推進歯車が設置され、前記推進歯車の後端は前記移動棒の右端と噛み合えるように連結され、
前記マッサージ機構は前記移動棒の運動を制御すると同時に、利用者にマッサージを行われることを特徴とする請求項１に記載の多機能パソコンチェア。
【発明の詳細な説明】
【技術分野】
【０００１】
本発明はパソコン用品分野を取り上げ、具体的には多機能パソコンチェアである。
【背景技術】
【０００２】
今時、人々がパソコンを利用する時に、よく飲み物をパソコンデスクに置き、しかし、それでは、スペースをとりすぎだけでなく、パソコンを操作する時に飲み物を零す恐れもあり、損失をもたらし、また、現段階でのパソコンチェアは基本的に椅子としての機能のみを備え、パソコンチェア内部のスペースは利用されていない。
【先行技術文献】
【特許文献】
【０００３】
【特許文献１】中国特許出願公開第１０８１５８２５３号明細書
【発明の概要】
【発明が解決しようとする課題】
【０００４】
本発明は多機能パソコンチェアを提供し、既存技術にある上記の欠点を解消することを目的とする。
【課題を解決するための手段】
【０００５】
上記の目的を実現するため、本発明は以下の技術プランを提供する：本発明の多機能パソコンチェアは、支柱と前記支柱の上側に位置する座布団とを含み、前記座布団の前後両端には手すりが設置され、前記座布団の右端には背もたれが設置され、前記支柱の中には上方に開口した伸縮溝が設置され、前記伸縮溝の下端壁には伸縮ばねが設置され、前記伸縮溝の中にはばね板が設置され、前記伸縮溝の右端壁には磁石組が設置され、前記磁石組と前記ばね板とは互いに近距離で吸引し合うことができ、前記座布団の中には昇降チャンバが設置され、前記昇降チャンバの中には昇降板が設置され、前記昇降板の下端面には昇降棒が二本設置され、二本の前記昇降棒の下端は前記ばね板と連結されており、前記座布団の下端面には連結柱が設置され、前記連結柱の下端は前記ばね板を貫通しており、且つ前記ばね板と摩擦できるように連結され、前記連結柱と前記伸縮ばねとは連結されており、前記手すりの中には昇降機構が設置され、前記昇降機構は収納溝とコップを支える支持板とを含み、前記支持板の下端には収納ばねが設置され、前記収納ばねの下端は前記収納溝の下端壁と連結されており、前記昇降板の上端面には押出棒が設置され、前記押出棒の上端は前記収納溝の中に位置しており、前記押出棒は前記支持板の降下を制限でき、前記手すりの上端面には装置の移動を制御する制御器が設置され、前記収納溝の右端壁には昇降溝が設置され、前記昇降溝の上端壁の中にはスライドチャンバが設置され、前記スライドチャンバの上端壁の中にはばねチャンバとばね溝が設置され、前記ばねチャンバと前記ばね溝とは前記スライドチャンバを連通しており、前記ばねチャンバの右端壁には圧縮ばねが設置され、前記圧縮ばねの左端には圧縮板が設置され、前記圧縮板の下端は前記スライドチャンバの中に位置しており、前記圧縮板の上端には防塵できる隔て板が設置され、前記ばね溝の左端壁には引張ばねが設置され、前記引張ばねの右端には引張板が設置され、前記引張板の下端は前記スライドチャンバの中に位置しており、前記スライドチャンバの中には磁石棒が設置され、前記スライドチャンバの右端壁には磁石ブロックが設置され、前記磁石ブロックと前記磁石棒とは吸引し合い、前記ばねチャンバの上端壁には連結ばねが設置され、前記連結ばねの下端には妨害磁石が設置され、前記妨害磁石は前記磁石棒と前記磁石ブロックと退け合い、前記妨害磁石の下端には妨害板が設置され、前記妨害板の下端は前記スライドチャンバの中に位置しており、前記妨害板は前記磁石棒と前記磁石ブロックとの吸引に影響しないであり、前記妨害板の下端には弾性紐が設置され、前記弾性紐の下端は前記昇降溝の中に位置しており、前記弾性紐は前記妨害板を引き動かすことができ、前記背もたれの中にはマッサージ機構が設置され、前記マッサージ機構は回転チャンバとスライド溝とを含み、前記回転チャンバと前記スライド溝とはいずれも前方に開口しており、前記スライド溝の中にはスライド板が設置され、前記スライド溝の前端壁にはスライドばねが連結され、前記スライドばねは前記スライド板の復位を連動させることができ、前記スライド溝の後端壁には電磁石が設置され、前記電磁石と前記スライド板とは互いに吸引し合うことができ、前記スライド板の下端面にはモータが設置され、前記回転チャンバの中には回転軸が二本設置され、一本の前記回転軸は前記モータと伝動可能に連結され、もう一本の前記回転軸の上端は前記スライド板と回転可能に連結され、
本装置は利用者へのマッサージを行われ、また、コップなどを置くこともできる。
【０００６】
好ましくは、前記昇降機構は上げ板を含み、前記上げ板の一端は磁力を帯びており、前記上げ板の左端は前記収納溝の中に位置しており、前記弾性紐の下端は前記上げ板と連結されており、前記昇降溝の下端壁の中には上方に開口した上げ溝が二つ設置され、前記上げ溝の下端壁には上げばねが設置され、前記上げばねの上端には上げ棒が設置され、前記上げ棒は前記上げ板と連結されており、前記昇降溝の中には移動棒が設置され、前記移動棒の右端は前記回転チャンバの中に位置しており、前記上げ板の下端にはロープが設置され、前記ロープの下端は前記上げ溝を貫通しており、前記ロープは前記移動棒の左端と連結されており、
前記昇降機構は支持板の昇降を制御できる。
【０００７】
好ましくは、前記マッサージ機構は前記回転軸に固定させた四つのカムを含み、前記回転チャンバの上下端壁の間にはクッションが設置され、二本の前記回転軸の下端にはいずれもプーリが設置され、前記プーリは互いにベルトによって連結され、後側の前記回転軸の下端には推進歯車が設置され、前記推進歯車の後端は前記移動棒の右端と噛み合えるように連結され、
前記マッサージ機構は前記移動棒の運動を制御すると同時に、利用者にマッサージを行われる。
【発明の効果】
【０００８】
本発明の有益な効果は：本発明はシンプルな構成と簡単な操作方法を有し、利用者にマッサージを行う時に、パソコン利用者の圧力を緩和すると同時に、飲み物などがテーブルの空間をとりすぎるという問題を解決し、より有効的に空間を利用でき、また、機械伝動により効率も上げ、さらなる快適さを利用者に与える。
【図面の簡単な説明】
【０００９】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明である多機能パソコンチェアの全体断面の正面構成略図
【図２】図２は本発明における昇降機構の全体断面の正面拡大構成略図
【図３】図３は本発明におけるマッサージ機構の全体断面の左面拡大構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜３を参照し、本発明の多機能パソコンチェアは、支柱９と前記支柱９の上側に位置する座布団４とを含み、前記座布団４の前後両端には手すり１が設置され、前記座布団４の右端には背もたれ１７が設置され、前記支柱９の中には上方に開口した伸縮溝７が設置され、前記伸縮溝７の下端壁には伸縮ばね１１が設置され、前記伸縮溝７の中にはばね板１０が設置され、前記伸縮溝７の右端壁には磁石組６０が設置され、前記磁石組６０と前記ばね板１０とは互いに近距離で吸引し合うことができ、前記座布団４の中には昇降チャンバ３が設置され、前記昇降チャンバ３の中には昇降板５が設置され、前記昇降板５の下端面には昇降棒８が二本設置され、二本の前記昇降棒８の下端は前記ばね板１０と連結されており、前記座布団４の下端面には連結柱５１が設置され、前記連結柱５１の下端は前記ばね板１０を貫通しており、且つ前記ばね板１０と摩擦できるように連結され、前記連結柱５１と前記伸縮ばね１１とは連結されており、前記手すり１の中には昇降機構４９が設置され、前記昇降機構４９は収納溝２６とコップを支える支持板２５とを含み、前記支持板２５の下端には収納ばね２４が設置され、前記収納ばね２４の下端は前記収納溝２６の下端壁と連結されており、前記昇降板５の上端面には押出棒２が設置され、前記押出棒２の上端は前記収納溝２６の中に位置しており、前記押出棒２は前記支持板２５の降下を制限でき、前記手すり１の上端面には装置の移動を制御する制御器２１が設置され、前記収納溝２６の右端壁には昇降溝２２が設置され、前記昇降溝２２の上端壁の中にはスライドチャンバ２８が設置され、前記スライドチャンバ２８の上端壁の中にはばねチャンバ２７とばね溝３４が設置され、前記ばねチャンバ２７と前記ばね溝３４とは前記スライドチャンバ２８を連通しており、前記ばねチャンバ２７の右端壁には圧縮ばね３１が設置され、前記圧縮ばね３１の左端には圧縮板３０が設置され、前記圧縮板３０の下端は前記スライドチャンバ２８の中に位置しており、前記圧縮板３０の上端には防塵できる隔て板２９が設置され、前記ばね溝３４の左端壁には引張ばね３３が設置され、前記引張ばね３３の右端には引張板３５が設置され、前記引張板３５の下端は前記スライドチャンバ２８の中に位置しており、前記スライドチャンバ２８の中には磁石棒３２が設置され、前記スライドチャンバ２８の右端壁には磁石ブロック３９が設置され、前記磁石ブロック３９と前記磁石棒３２とは吸引し合い、前記ばねチャンバ３４の上端壁には連結ばね３６が設置され、前記連結ばね３６の下端には妨害磁石３７が設置され、前記妨害磁石３７は前記磁石棒３２と前記磁石ブロック３９と退け合い、前記妨害磁石３７の下端には妨害板３８が設置され、前記妨害板３８の下端は前記スライドチャンバ３４の中に位置しており、前記妨害板３８は前記磁石棒３２と前記磁石ブロック３９との吸引に影響しないであり、前記妨害板３８の下端には弾性紐４０が設置され、前記弾性紐４０の下端は前記昇降溝２２の中に位置しており、前記弾性紐４０は前記妨害板３８を引き動かすことができ、前記背もたれ１７の中にはマッサージ機構５０が設置され、前記マッサージ機構５０は回転チャンバ２０とスライド溝１８とを含み、前記回転チャンバ２０と前記スライド溝１８とはいずれも前方に開口しており、前記スライド溝１８の中にはスライド板１９が設置され、前記スライド溝１８の前端壁にはスライドばね４８が連結され、前記スライドばね４８は前記スライド板１９の復位を連動させることができ、前記スライド溝１８の後端壁には電磁石４７が設置され、前記電磁石４７と前記スライド板１８とは互いに吸引し合うことができ、前記スライド板１９の下端面にはモータ１６が設置され、前記回転チャンバ２０の中には回転軸１４が二本設置され、一本の前記回転軸１４は前記モータ１６と伝動可能に連結され、もう一本の前記回転軸１４の上端は前記スライド板１９と回転可能に連結され、
本装置は利用者へのマッサージを行われ、また、コップなどを置くこともできる。
【００１３】
好ましくは、前記昇降機構４９は上げ板２３を含み、前記上げ板２３の一端は磁力を帯びており、前記上げ板２３の左端は前記収納溝２６の中に位置しており、前記弾性紐４０の下端は前記上げ板２３と連結されており、前記昇降溝２２の下端壁の中には上方に開口した上げ溝４２が二つ設置され、前記上げ溝４２の下端壁には上げばね４４が設置され、前記上げばね４４の上端には上げ棒４１が設置され、前記上げ棒４１は前記上げ板２３と連結されており、前記昇降溝２２の中には移動棒４５が設置され、前記移動棒４５の右端は前記回転チャンバ２０の中に位置しており、前記上げ板４１の下端にはロープ４３が設置され、前記ロープ４３の下端は前記上げ溝４２を貫通しており、前記ロープ４３は前記移動棒４５の左端と連結されており、
前記昇降機構４９は支持板２５の昇降を制御できる。
【００１４】
下記に、図１〜３と前述した具体的構成とを参照し、本願の多機能パソコンチェアの使用方法について詳しく説明する：  
【００１５】
人が座布団４に座る時に、座布団４と、連結柱５１と、ばね板１０と、昇降棒８と、昇降板５と、押出棒２との降下を連動させ、それにより支持板２５を収納ばね２４の作用のもとで降下させ、飲み物を収納溝２６に入れ、制御器２１でモータ１６の作動を制御し、前側の回転軸１４の回転を連動させ、プーリ１２とベルト６との伝動により後側の回転軸１４を回転連動させ、それにより推進歯車４６とカム１３とを回転連動させ、それにより利用者の背中へのマッサージをはじめる。
【００１６】
利用者が出てきた飲料ボトルに邪魔を感じた時に、制御器２１で電磁石４７の作動を制御し、それによりスライド板１９を後ろに移動連動させ、それにより移動棒４５と推進歯車４６とを噛み合わせ、それにより移動棒４５を後ろに移動連動させ、それによりロープ４３の運動を連動させ、上げ棒４１と上げ板４９の降下を連動させ、それにより支持板２５の降下を連動させ、支持板２５が最低部に降下した時に、上げ板２３は弾性紐４０を最大限まで引張り、また、妨害磁石３７は磁石ブロック３９と磁石棒３２との間に位置し、磁石棒３２は制限を失い、引張ばね３３は復位し、引張板３５と、磁石棒３２と、圧縮板３０と、隔て板２９とを左に運動連動させ、それにより隔て板２９は収納溝２６を遮断し、閉鎖を完了とし、収納溝２６の中の飲み物の安全を確保する。
【００１７】
本発明の有益な効果は：本発明はシンプルな構成と簡単な操作方法を有し、利用者にマッサージを行う時に、パソコン利用者の圧力を緩和すると同時に、飲み物などがテーブルの空間をとりすぎるという問題を解決し、より有効的に空間を利用でき、また、機械伝動により効率も上げ、さらなる快適さを利用者に与える。
【００１８】
以上に述べたのはただ本発明の具体的な実施方式であり、本発明の保護範囲は以上の内容に限らず、すべての創造的な労働を通じず思いつきの改動と取替は本発明の保護範囲にカバーされるべき。従って、本発明の保護範囲は権利要求書が限定された保護範囲を標準とすべきである。
【図１】
2020182771.tif 000003
【図２】
2020182771.tif 000004
【図３】
2020182771.tif 000005
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
正面視で、支柱と前記支柱の上側に位置する座布団とを含み、前記座布団の前後両端には手すりが設置され、前記座布団の右端には背もたれが設置され、前記支柱の中には上方に開口した伸縮溝が設置され、前記伸縮溝の下端壁には伸縮ばねが設置され、前記伸縮溝の中にはばね板が設置され、前記伸縮溝の右端壁には磁石組が設置され、前記磁石組と前記ばね板とは互いに近距離で吸引し合うことができ、前記座布団の中には昇降チャンバが設置され、前記昇降チャンバの中には昇降板が設置され、前記昇降板の下端面には昇降棒が二本設置され、二本の前記昇降棒の下端は前記ばね板と連結されており、前記座布団の下端面には連結柱が設置され、前記連結柱の下端は前記ばね板を貫通しており、且つ前記ばね板と摩擦できるように連結され、前記連結柱と前記伸縮ばねとは連結されており、前記手すりの中には昇降機構が設置され、前記昇降機構は収納溝とコップを支える支持板とを含み、前記支持板の下端には収納ばねが設置され、前記収納ばねの下端は前記収納溝の下端壁と連結されており、前記昇降板の上端面には押出棒が設置され、前記押出棒の上端は前記収納溝の中に位置しており、前記押出棒は前記支持板の降下を制限でき、前記手すりの上端面には装置の移動を制御する制御器が設置され、前記収納溝の右端壁には昇降溝が設置され、前記昇降溝の上端壁の中にはスライドチャンバが設置され、前記スライドチャンバの上端壁の中にはばねチャンバとばね溝が設置され、前記ばねチャンバと前記ばね溝とは前記スライドチャンバを連通しており、前記ばねチャンバの右端壁には圧縮ばねが設置され、前記圧縮ばねの左端には圧縮板が設置され、前記圧縮板の下端は前記スライドチャンバの中に位置しており、前記圧縮板の上端には防塵できる隔て板が設置され、前記ばね溝の左端壁には引張ばねが設置され、前記引張ばねの右端には引張板が設置され、前記引張板の下端は前記スライドチャンバの中に位置しており、前記スライドチャンバの中には磁石棒が設置され、前記スライドチャンバの右端壁には磁石ブロックが設置され、前記磁石ブロックと前記磁石棒とは吸引し合い、前記ばねチャンバの上端壁には連結ばねが設置され、前記連結ばねの下端には妨害磁石が設置され、前記妨害磁石は前記磁石棒と前記磁石ブロックと退け合い、前記妨害磁石の下端には妨害板が設置され、前記妨害板の下端は前記スライドチャンバの中に位置しており、前記妨害板は前記磁石棒と前記磁石ブロックとの吸引に影響しないであり、前記妨害板の下端には弾性紐が設置され、前記弾性紐の下端は前記昇降溝の中に位置しており、前記弾性紐は前記妨害板を引き動かすことができ、前記背もたれの中にはマッサージ機構が設置され、前記マッサージ機構は回転チャンバとスライド溝とを含み、前記回転チャンバと前記スライド溝とはいずれも前方に開口しており、前記スライド溝の中にはスライド板が設置され、前記スライド溝の前端壁にはスライドばねが連結され、前記スライドばねは前記スライド板の復位を連動させることができ、前記スライド溝の後端壁には電磁石が設置され、前記電磁石と前記スライド板とは互いに吸引し合うことができ、前記スライド板の下端面にはモータが設置され、前記回転チャンバの中には回転軸が二本設置され、一本の前記回転軸は前記モータと伝動可能に連結され、もう一本の前記回転軸の上端は前記スライド板と回転可能に連結され、
本装置は利用者へのマッサージを行われ、また、コップなどを置くこともでき、
前記昇降機構は上げ板を含み、前記上げ板の一端は磁力を帯びており、前記上げ板の左端は前記収納溝の中に位置しており、前記弾性紐の下端は前記上げ板と連結されており、前記昇降溝の下端壁の中には上方に開口した上げ溝が二つ設置され、前記上げ溝の下端壁には上げばねが設置され、前記上げばねの上端には上げ棒が設置され、前記上げ棒は前記上げ板と連結されており、前記昇降溝の中には移動棒が設置され、前記移動棒の右端は前記回転チャンバの中に位置しており、前記上げ板の下端にはロープが設置され、前記ロープの下端は前記上げ溝を貫通しており、前記ロープは前記移動棒の左端と連結されており、前記昇降機構は支持板の昇降を制御でき、
前記マッサージ機構は前記回転軸に固定させた四つのカムを含み、前記回転チャンバの上下端壁の間にはクッションが設置され、二本の前記回転軸の下端にはいずれもプーリが設置され、前記プーリは互いにベルトによって連結され、後側の前記回転軸の下端には推進歯車が設置され、前記推進歯車の後端は前記移動棒の右端と噛み合えるように連結され、前記マッサージ機構は前記移動棒の運動を制御すると同時に、利用者にマッサージを行われることを特徴とする多機能パソコンチェア。